(57)【要約】【課題】  偽輪郭の発生、並びに、画質の劣化を最低限に軽減することが可能な偽輪郭軽減装置を提供する。【解決手段】  入力画像信号のうち偽輪郭を発生する偽輪郭発生画像信号を検出する偽輪郭発生画像信号検出部４ａ〜４ｎを備える。偽輪郭発生画像信号検出部４ａ〜４ｎにより検出された偽輪郭発生画像信号のうち特定の色範囲の特定色偽輪郭発生画像信号を検出する特定色偽輪郭発生画像信号検出部６を備える。特定色偽輪郭発生画像信号検出部６により検出された特定色偽輪郭画像信号に対し、偽輪郭軽減処理を行う偽輪郭軽減処理部３を備える。【選択図】    図１
2006003881.tif 000002
【特許請求の範囲】
【請求項１】
表示装置の表示画面における偽輪郭の発生を軽減する偽輪郭軽減装置において、
入力画像信号のうち、偽輪郭を発生する画像信号であり、且つ、特定の色範囲の画像信号である特定色偽輪郭発生画像信号に対し、偽輪郭を軽減する偽輪郭軽減処理を行う偽輪郭軽減処理部を備えることを特徴とする偽輪郭軽減装置。
【請求項２】
入力画像信号のうち偽輪郭を発生する偽輪郭発生画像信号を検出する偽輪郭発生画像信号検出部と、
前記偽輪郭発生画像信号検出部により検出された偽輪郭発生画像信号のうち特定の色範囲の特定色偽輪郭発生画像信号を検出する特定色偽輪郭発生画像信号検出部と、
を備え、
前記偽輪郭軽減処理部は、前記特定色偽輪郭発生画像信号検出部により検出された特定色偽輪郭画像信号に対し、前記偽輪郭軽減処理を行うことを特徴とする請求項１に記載の偽輪郭軽減装置。
【請求項３】
入力画像信号のうち偽輪郭を発生する偽輪郭発生画像信号を検出する偽輪郭発生画像信号検出部と、
入力画像信号のうち特定の色範囲の特定色画像信号を検出する特定色画像信号検出部と、
を備え、
前記偽輪郭軽減処理部は、前記偽輪郭発生画像信号検出部により検出された偽輪郭発生画像信号であり、且つ、前記特定色画像信号検出部により検出された特定色画像信号である特定色偽輪郭発生画像信号に対し、前記偽輪郭軽減処理を行うことを特徴とする請求項１に記載の偽輪郭軽減装置。
【請求項４】
前記偽輪郭発生画像信号検出部は、前記入力画像信号を形成する複数の色画像信号のうちの何れかの色画像信号が所定の階調範囲内の場合に、前記入力画像信号を偽輪郭発生画像信号と判定することを特徴とする請求項２又は３に記載の偽輪郭軽減装置。
【請求項５】
前記偽輪郭発生画像信号検出部は、複数の色画像信号のうちの何れかの色画像信号が所定の階調範囲内となる前記入力画像信号と対応する画素が、所定面積以上の表示領域において連続的に存在する場合に、該表示領域内の画素と対応する前記入力画像信号を偽輪郭発生画像信号と判定することを特徴とする請求項２又は３に記載の偽輪郭軽減装置。
【請求項６】
入力画像信号のうち特定の色範囲の特定色画像信号を検出する特定色画像信号検出部と、
前記特定色画像信号検出部により検出された特定色画像信号のうち偽輪郭が発生する特定色偽輪郭発生画像信号を検出する特定色偽輪郭発生画像信号検出部と、
を備え、
前記偽輪郭軽減処理部は、前記特定色偽輪郭発生画像信号検出部により検出された特定色偽輪郭画像信号に対し、前記偽輪郭軽減処理を行うことを特徴とする請求項１に記載の偽輪郭軽減装置。
【請求項７】
前記特定色偽輪郭発生画像信号検出部は、前記特定色画像信号を形成する複数の色画像信号のうちの何れかの色画像信号が所定の階調範囲内の場合に、前記特定色画像信号を特定色偽輪郭発生画像信号と判定することを特徴とする請求項６に記載の偽輪郭軽減装置。
【請求項８】
前記偽輪郭発生画像信号検出部は、複数の色画像信号のうちの何れかの色画像信号が所定の階調範囲内となる前記特定色画像信号と対応する画素が、所定面積以上の表示領域において連続的に存在する場合に、該表示領域内の画素と対応する前記特定色画像信号を特定色偽輪郭発生画像信号と判定することを特徴とする請求項７に記載の偽輪郭軽減装置。
【請求項９】
前記偽輪郭軽減処理部は、前記偽輪郭軽減処理として、擬似中間階調処理を行うことを特徴とする請求項１乃至８の何れか一項に記載の偽輪郭軽減装置。
【請求項１０】
前記偽輪郭軽減処理部は、
入力画像信号である第１画像信号に対し前記偽輪郭軽減処理を行う処理部と、
前記第１画像信号と、前記処理部による処理後の画像信号である第２画像信号と、が入力され、これら２つの画像信号のうちの何れか一方を選択的に出力する切替部と、
を具備し、
前記切替部は、
対応する前記入力画像信号が前記特定色偽輪郭発生画像信号と判定された画素の表示に用いられる画像信号としては前記第２画像信号を選択する一方で、
対応する前記入力画像信号が前記特定色偽輪郭発生画像信号と判定された画素以外の表示に用いられる画像信号としては前記第１画像信号を選択することを特徴とする請求項１乃至９の何れか一項に記載の偽輪郭軽減装置。
【請求項１１】
前記偽輪郭軽減処理部は、前記特定色偽輪郭発生画像信号よりも遅れて入力され、該入力画像信号と同一の表示箇所の表示に用いられる入力画像信号に対しても、前記偽輪郭軽減処理を行うことを特徴とする請求項１乃至１０の何れか一項に記載の偽輪郭軽減装置。
【請求項１２】
前記特定色偽輪郭発生画像信号の前記偽輪郭軽減処理部への入力を１乃至ｍフィールド遅延させる第１乃至第ｍのフィールド遅延部を更に備え、
前記偽輪郭軽減処理部は、
前記第１乃至第ｍのフィールド遅延部のうち少なくとも何れか１つから前記特定色偽輪郭発生画像信号が入力される場合にも、前記偽輪郭軽減処理を行うことによって、
前記特定色偽輪郭発生画像信号よりも遅れて入力され、該特定色偽輪郭発生画像信号と同一の表示箇所の表示に用いられる入力画像信号に対しても、前記偽輪郭軽減処理を行うことを特徴とする請求項１１に記載の偽輪郭軽減装置。
【請求項１３】
請求項１乃至１２の何れか一項に記載の偽輪郭軽減装置と、
前記表示画面を有し、該表示画面にて、前記偽輪郭軽減処理部による処理後の画像信号に基づく画像表示を行う表示部と、
を備えることを特徴とする表示装置。
【請求項１４】
表示装置の表示画面における偽輪郭の発生を軽減する方法において、
入力画像信号のうち偽輪郭を発生する偽輪郭発生画像信号を検出する偽輪郭発生画像信号検出工程と、
前記偽輪郭発生画像信号のうち特定の色範囲の特定色偽輪郭発生画像信号を検出する特定色偽輪郭発生画像信号検出工程と、
前記特定色偽輪郭画像信号に対し、偽輪郭を軽減する偽輪郭軽減処理を行う偽輪郭軽減工程と、
を備えることを特徴とする偽輪郭軽減方法。
【請求項１５】
表示装置の表示画面における偽輪郭の発生を軽減する方法において、
入力画像信号のうち偽輪郭を発生する偽輪郭発生画像信号を検出する偽輪郭発生画像信号検出工程と、
入力画像信号のうち特定の色範囲の特定色画像信号を検出する特定色画像信号検出工程と、
前記偽輪郭発生画像信号であり且つ前記特定色画像信号である特定色偽輪郭発生画像信号に対し、偽輪郭を軽減する偽輪郭軽減処理を行う偽輪郭軽減処理工程と、
を備えることを特徴とする偽輪郭軽減方法。
【請求項１６】
表示装置の表示画面における偽輪郭の発生を軽減する方法において、
入力画像信号のうち特定の色範囲の特定色画像信号を検出する特定色画像信号検出工程と、
前記特定色画像信号のうち偽輪郭が発生する特定色偽輪郭発生画像信号を検出する特定色偽輪郭発生画像信号検出工程と、
前記特定色偽輪郭発生画像信号に対し、偽輪郭を軽減する偽輪郭軽減処理を行う偽輪郭軽減工程と、
を備えることを特徴とする偽輪郭軽減方法。
【請求項１７】
請求項１乃至１２の何れか一項に記載の偽輪郭軽減装置による処理をコンピュータに実行させるためのプログラム。
【発明の詳細な説明】
【技術分野】
【０００１】
本発明は、偽輪郭軽減装置、表示装置、偽輪郭軽減方法及びプログラムに関する。
【背景技術】
【０００２】
表示装置は、入力された画像信号を画素単位で表示する。すなわち、図１２に示すように、表示装置においては、画素Ｐｉ−４→画素Ｐｉ−３→画素Ｐｉ−２→画素Ｐｉ−１→画素Ｐｉ→画素Ｐｉ＋１→画素Ｐｉ＋２→画素Ｐｉ＋３と順次走査して画像表示を行う。
【０００３】
また、表示装置は、入力された画像信号を、相互に異なる階調レベルに設定された（相互に輝度の重み付けがなされた）複数のサブフィールド、すなわち発光時間が相互に異なるサブフィールドへと時系列において展開し、１映像フィールド期間中に発光するサブフィールドの組み合わせを階調に応じて選択することにより、各画素の階調表現を行う。
【０００４】
図１２では、例えば、１フィールドを第１サブフィールドから第８サブフィールドまでの８つのサブフィールドに分割する例を示している。
【０００５】
このように階調表現を行う表示装置において、動画像が表示されている場合、もしくは静止画像が表示されているときに観測者が図１２に矢印で示すような視線移動を行う場合に、図１２に示すような想定されていない階調変化が視認される。つまり、偽輪郭が観測される。
【０００６】
これは、各サブフィールドの発光が時系列において順次行われる為、各サブフィールドの画像が、時系列において隣接する階調のサブフィールドや１つ後の映像フィールドのサブフィールドとの区別無しに観測者の眼で残像検知されてしまうことによる。
【０００７】
特に、展開された各サブフィールドの重み付けが大きく変化する箇所で、この偽輪郭が顕著に発生する。
【０００８】
偽輪郭についての説明は非特許文献１に記載されている。
【非特許文献１】内池平樹、御子柴茂生，「プラズマディスプレイのすべて」，工業調査会，１９９７年５月１日，ｐ．１６４−１６５
【発明の開示】
【発明が解決しようとする課題】
【０００９】
偽輪郭発生箇所では、観測者は画像を本来想定されている階調として検知できず、グレースケールの場合には階調反転として検知する一方で、カラー表示の場合には全く異なる色として検知するため、入力された映像に比して著しく劣化した映像を体感することになってしまう。
【００１０】
従って、プラズマディスプレイなどのサブフィールドの発光時間で階調を表現する表示装置においては、この偽輪郭を軽減することが必須となる。
【００１１】
本発明が解決しようとする課題としては、プラズマ表示装置或いはその他のサブフィールド駆動により映像を表示する表示装置における偽輪郭の発生、並びに、画質の劣化を最低限に軽減することが、一例として挙げられる。
【課題を解決するための手段】
【００１２】
請求項１に記載の発明は、表示装置の表示画面における偽輪郭の発生を軽減する偽輪郭軽減装置において、入力画像信号のうち、偽輪郭を発生する画像信号であり、且つ、特定の色範囲の画像信号である特定色偽輪郭発生画像信号に対し、偽輪郭を軽減する偽輪郭軽減処理を行う偽輪郭軽減処理部を備えることを特徴としている。
【００１３】
請求項１３に記載の発明は、請求項１乃至１２の何れか一項に記載の偽輪郭軽減装置と、前記表示画面を有し、該表示画面にて、前記偽輪郭軽減処理部による処理後の画像信号に基づく画像表示を行う表示部と、を備えることを特徴としている。
【００１４】
請求項１４に記載の発明は、表示装置の表示画面における偽輪郭の発生を軽減する方法において、入力画像信号のうち偽輪郭を発生する偽輪郭発生画像信号を検出する偽輪郭発生画像信号検出工程と、前記偽輪郭発生画像信号のうち特定の色範囲の特定色偽輪郭発生画像信号を検出する特定色偽輪郭発生画像信号検出工程と、前記特定色偽輪郭画像信号に対し、偽輪郭を軽減する偽輪郭軽減処理を行う偽輪郭軽減工程と、を備えることを特徴としている。
【００１５】
請求項１５に記載の発明は、表示装置の表示画面における偽輪郭の発生を軽減する方法において、入力画像信号のうち偽輪郭を発生する偽輪郭発生画像信号を検出する偽輪郭発生画像信号検出工程と、入力画像信号のうち特定の色範囲の特定色画像信号を検出する特定色画像信号検出工程と、前記偽輪郭発生画像信号であり且つ前記特定色画像信号である特定色偽輪郭発生画像信号に対し、偽輪郭を軽減する偽輪郭軽減処理を行う偽輪郭軽減処理工程と、を備えることを特徴としている。
【００１６】
請求項１６に記載の発明は、表示装置の表示画面における偽輪郭の発生を軽減する方法において、入力画像信号のうち特定の色範囲の特定色画像信号を検出する特定色画像信号検出工程と、前記特定色画像信号のうち偽輪郭が発生する特定色偽輪郭発生画像信号を検出する特定色偽輪郭発生画像信号検出工程と、前記特定色偽輪郭発生画像信号に対し、偽輪郭を軽減する偽輪郭軽減処理を行う偽輪郭軽減工程と、を備えることを特徴としている。
【００１７】
請求項１７に記載の発明は、請求項１乃至１２の何れか一項に記載の偽輪郭軽減装置による処理をコンピュータに実行させるためのプログラムであることを特徴としている。
【発明を実施するための最良の形態】
【００１８】
次に、実施形態について説明する。
【００１９】
本実施形態に係る偽輪郭軽減装置は、表示装置の表示画面における偽輪郭の発生を軽減する偽輪郭軽減装置において、入力画像信号のうち、偽輪郭を発生する画像信号であり、且つ、特定の色範囲の画像信号である特定色偽輪郭発生画像信号に対し、偽輪郭を軽減する偽輪郭軽減処理を行う偽輪郭軽減処理部を備えることを特徴としている。
【００２０】
本実施形態に係る偽輪郭軽減装置によれば、偽輪郭を軽減する偽輪郭軽減処理を行うので、偽輪郭の発生を軽減することができ、画質の劣化を最低限に軽減することができる。
【００２１】
しかも、偽輪郭を発生する画像信号のうち、特定の色範囲の画像信号である特定色偽輪郭発生画像信号に対してのみ偽輪郭軽減処理を行うので、偽輪郭が目立ちにくい色の場合には偽輪郭軽減処理を行わないようにすることができる。よって、偽輪郭源現処理に起因する画質の劣化を軽減することができる。
【実施例１】
【００２２】
図１は実施例１に係る偽輪郭軽減回路（偽輪郭軽減装置）１を示すブロック図である。
【００２３】
図１に示すように、偽輪郭軽減回路１は、該偽輪郭軽減回路１に入力される画像信号（入力画像信号）に基づいて、画像に含まれる画素のうち、偽輪郭が発生し、且つ、特定の色範囲である画素を判定する（偽輪郭を発生する画像信号であり、且つ、特定の色範囲の画像信号である特定色偽輪郭発生画像信号を判定する）判定部２と、判定部２により偽輪郭が発生し、且つ特定の色範囲であると判定された画素の表示に用いられる画像信号（特定色偽輪郭発生画像信号）に対し、偽輪郭を軽減する偽輪郭軽減処理を行う偽輪郭軽減処理部３と、判定部２が偽輪郭が発生し、且つ、特定の色範囲であると判定する画素（偽輪郭を発生する画像信号であり、且つ、特定の色範囲の画像信号である特定色偽輪郭発生画像信号）の設定を変更する処理を行う設定変更処理部４１と、該設定変更処理部４１に設定変更処理を行わせる操作を行うための設定変更操作部４２と、を備えている。
【００２４】
このうち判定部２は、例えば、ｎ個（ｎは正の整数）の階調検出部（偽輪郭発生画像信号検出部）４ａ、４ｂ、４ｃ、４ｄ、４ｅ、４ｆ、４ｇ、４ｈ、４ｉ、・・・、４ｎと、ｎ個（すなわち階調検出部４ａ〜４ｎと同数）の面積検出部５ａ、５ｂ、５ｃ、５ｄ、５ｅ、５ｆ、５ｇ、５ｈ、５ｉ・・・、５ｎと、特定色検出部（特定色偽輪郭発生画像信号検出部）６と、を備えている。
【００２５】
このうち各階調検出部４ａ〜４ｎは、所定の階調範囲内の画素を偽輪郭が発生する画素（候補画素）であると判定し、該候補画素の表示に用いられる画像信号のみを後段の面積検出部５ａ〜５ｎに出力する。
【００２６】
すなわち、各階調検出部４ａ〜４ｎは、入力画像信号のうち、偽輪郭を発生する偽輪郭発生画像信号を検出し、該偽輪郭発生画像信号のみを後段の面積検出部５ａ〜５ｎに出力する。
【００２７】
ここで、図２は、１フィールドを第１〜第８の８つのサブフィールドで形成し各サブフィールドの発光輝度比を１：２：４：８：１６：３２：６４：１２８とする場合において、各階調（各階調レベル）に応じた各サブフィールドの点灯／非点灯状態を、一部の階調についてのみ示す図である。
【００２８】
図２の例では、各サブフィールドの点灯／非点灯の組み合わせを適宜に設定することにより、輝度が低い方から順に、階調０から階調２５５までの２５６階調を表現できる。
【００２９】
サブフィールド法により階調表現を行う場合、輝度が相互に隣接する階調どうしであっても、例えば図２の例では、階調１２７と階調１２８のように各サブフィールドの点灯／非点灯の状態が相互にほぼ反転している階調が存在することとなる。
【００３０】
このように各サブフィールドの点灯／非点灯の状態が相互にほぼ反転している階調、並びに、それに近い階調の画素が表示画面上で隣接する場合、視線の動きによって偽輪郭を生じてしまう。
【００３１】
そこで、本実施例の場合、階調検出部４ａ〜４ｎは、偽輪郭が発生するような階調変化の境界を挟んで相互に輝度が隣接する階調（例えば階調１２７と階調１２８、階調６３と階調６４、階調３１と階調３２、階調１５と階調１６など）の画素と、それらと近い階調（具体的には、例えば、それらの階調の前後３階調）の画素と、を偽輪郭が発生する階調として検出する。すなわち、例えば、階調１２４〜階調１３１、階調６０〜階調６７、階調２８〜階調３５、階調１２〜階調１９などの各階調範囲内の画素を検出する。
【００３２】
ここで、各階調検出部４ａ〜４ｎは、各階調範囲毎に割り当てられているとともに、カラー表示を行うための各原色（具体的には、例えば、赤、緑、青）の画像信号（色画像信号）毎に割り当てられ、且つ、検出対象となる表示領域毎に割り当てられている。
【００３３】
すなわち、具体的には、例えば、階調検出部４ａは、所定の表示領域Ａ（図示略）内における赤色の画素の表示用の画像信号（色画像信号）で、且つ、階調１２４〜階調１３１の画像の表示用の画像信号を検出し、後段に出力する（図３参照）。
【００３４】
同様に、階調検出部４ｂは、例えば、階調検出部４ａが検出対象とする表示領域Ａ内における緑の画素の表示用の画像信号（色画像信号）で、且つ、階調１２４〜階調１３１の画像の表示用の画像信号を検出し、階調検出部４ｃは、例えば、階調検出部４ａ及び４ｂが検出対象とする表示領域Ａ内における青の画素の表示用の画像信号（色画像信号）で、且つ、階調１２４〜階調１３１の画像の表示用の画像信号を検出し、それぞれ後段に出力する。
【００３５】
また、階調検出部４ｄは、階調検出部４ａ〜４ｃが検出対象とする表示領域Ａとは別の表示領域Ｂ（表示領域ＡとＢとは、一部が重複しても良いし、或いは、完全に別の領域であっても良い）内における赤色の画素の表示用の画像信号で、且つ、階調１２４〜階調１３１の画像の表示用の画像信号を検出し、階調検出部４ｅは、例えば、階調検出部４ｄが検出対象とする表示領域Ｂ内における緑の画素の表示用の画像信号で、且つ、階調１２４〜階調１３１の画像の表示用の画像信号を検出し、階調検出部４ｆは、例えば、階調検出部４ｄ及び４ｅが検出対象とする表示領域Ｂ内における青の画素の表示用の画像信号で、且つ、階調１２４〜階調１３１の画像の表示用の画像信号を検出し、それぞれ後段に出力する。
【００３６】
同様に、表示領域Ａ及びＢ以外の表示領域についても、階調１２４〜階調１３１の階調範囲内の画素の検出用の階調検出部（図示せず）を、赤、緑、青の画像信号用にそれぞれ備え、これら階調検出部の協働により、表示画面の全体について階調１２４〜階調１３１の階調範囲内の画素を検出できるようになっている。
【００３７】
更に、階調検出部４ｇは、階調検出部４ａ〜４ｃが検出対象とする表示領域Ａ内における赤色の画素の表示用の画像信号で、且つ、階調６０〜階調６７の画像の表示用の画像信号を検出し、後段に出力する。
【００３８】
また、階調検出部４ｈは、例えば、階調検出部４ｇが検出対象とする表示領域Ａ内における緑の画素の表示用の画像信号で、且つ、階調６０〜階調６７の画像の表示用の画像信号を検出し、階調検出部４ｉは、例えば、階調検出部４ｇ及び４ｈが検出対象とする表示領域Ａ内における青の画素の表示用の画像信号で、且つ、階調が階調６０〜階調６７の画像の表示用の画像信号を検出し、それぞれ後段に出力する。
【００３９】
同様に、階調１２４〜階調１３１及び階調６０〜階調６７以外の偽輪郭が発生する各階調範囲についても、各表示領域毎に、赤、緑、青の画像信号用にそれぞれ階調検出部を備え（図示せず）、これら階調検出部の協働により、判定部２が検出対象とする各階調範囲内の画素を検出できるようになっている。
【００４０】
このように、各階調検出部４ａ〜４ｎは、各々に割り当てられた表示領域における表示用の、各々に割り当てられた色の画像信号について、各々に割り当てられた階調範囲内の画素の画像信号が含まれている場合にのみ、該画像信号を候補画素信号として後段の面積検出部５ａ〜５ｎに出力する。
【００４１】
このように、判定部２は、相互に異なる複数種類の階調範囲内の画素を偽輪郭が発生する画素であると判定するとともに、カラー表示画像を形成する複数の原色の各々について、偽輪郭が発生する画素を判定する。
【００４２】
なお、各階調検出部４ａ〜４ｎは、偽輪郭が発生する階調範囲の上限値（例えば、図３に示す階調１３１など）以下の階調を検出する第１の比較器（図示略）と、各階調範囲の下限値（例えば、図３に示す階調１２４など）以上の階調を検出する第２の比較器（図示略）と、第１及び第２の比較器の出力の論理積を出力する論理積回路（図示略）と、を備えて構成され、第１の比較器、第２の比較器及び論理積回路により、偽輪郭が発生する階調範囲内の画素を判定するようになっている。
【００４３】
次に、各面積検出部５ａ〜５ｎは、各階調検出部４ａ〜４ｎに対して１対１で対応づけられている。
【００４４】
各面積検出部５ａ〜５ｎは、対応する階調検出部４ａ〜４ｎにより判定された候補画素が所定の面積範囲以上の表示領域において連続的に存在するか否かを判定し、連続的に存在する場合のみ、その候補画素を後段の特定色検出部６に出力する（図４参照）。
【００４５】
具体的には、面積検出部５ａ〜５ｎは、例えば、画像の水平走査方向又は垂直走査方向にて連続する３画素以上の表示領域において階調検出部４ａ〜４ｎにより判定された候補画素が存在するか否かを判定する。
【００４６】
従って、例えば図４に示すように、画像の水平走査方向にて連続する３画素分（画素Ｐｉ、画素Ｐｉ＋１及び画素Ｐｉ＋２）の表示領域において候補画素が存在するような場合にも、その候補画素を後段の特定色検出部６に出力する。
【００４７】
なお、各面積検出部５ａ〜５ｎは、対応する階調検出部４ａ〜４ｎにより判定された候補画素が画像の水平走査及び垂直走査のうちの少なくともいずれか一方において所定数以上連続していることを検出するカウンタ及び論理積回路（何れも図示略）を備えて構成され、これらカウンタ及び論理積回路により、対応する階調検出部４ａ〜４ｎにより判定された候補画素が所定面積以上の表示領域において連続的に存在するか否かを判定するようになっている。
【００４８】
次に、特定色検出部６は、面積検出部５ａ〜５ｎから出力された候補画素のうち、偽輪郭が発生するような特定の色範囲の表示色（換言すれば、偽輪郭が目立ちやすい表示色）を構成する階調の画素のみを偽輪郭が発生する画素として偽輪郭軽減処理部３に出力する。
【００４９】
すなわち、特定色検出部６は、階調検出部４ａ〜４ｎにより検出された偽輪郭発生画像信号のうち、面積検出部５ａ〜５ｎから出力された偽輪郭発生画像信号のなかから、特定の色範囲の特定色偽輪郭発生画像信号を検出し、該検出した特定色偽輪郭発生画像信号のみを偽輪郭軽減処理部３に出力する。
【００５０】
ここで、「偽輪郭が発生するような特定の色範囲」には、例えば、肌色（人の顔など）、白色（雲など）が該当する。このような色範囲を構成する階調の例としては、図２に例示するサブフィールド表示を行う場合には、例えば、赤色の画素は階調２２２±３０、緑色の画素は階調１８０±３０、青色の画素は階調１６４±３０であることが挙げられる。
【００５１】
従って、特定色検出部６は、面積検出部５ａ〜５ｎから出力された候補画素のうち、赤色の画素については階調２２２±３０の範囲の画素のみを偽輪郭が発生する画素として偽輪郭軽減処理部３に出力し、緑色の画素については階調１８０±３０の範囲の画素のみを偽輪郭が発生する画素として偽輪郭軽減処理部３に出力し、青色の画素については階調１６４±３０の範囲の画素のみを偽輪郭が発生する画素として偽輪郭軽減処理部３に出力する。
【００５２】
なお、ここでは、特定色検出部６が偽輪郭が発生すると判定する特定の色範囲として、（赤、緑、青）＝（階調２２２±３０、階調１８０±３０、階調１６４±３０）の１つのみを例示したが、該特定の色範囲の指定は、複数種類の色範囲について設定できるものとする。従って、特定色検出部６は、これら複数種類の色範囲のうちの何れか１つに含まれる階調の画素を偽輪郭が発生すると判定する。
【００５３】
更に、各色範囲の設定は、赤、緑、青の各原色毎に行うことができるものとする。
【００５４】
次に、設定変更処理部４１は、各階調検出部４ａ〜４ｎにより偽輪郭が発生すると判定される階調範囲の上限値及び下限値の設定を変更する階調範囲変更処理を行う階調変更処理部（階調範囲変更手段）４１１と、各面積検出部５ａ〜５ｎにより偽輪郭が発生すると判定される面積範囲の大きさの設定を変更する面積変更処理を行う面積変更処理部（面積変更手段）４１２と、特定色検出部６により偽輪郭が発生する画素と判定される色範囲の設定を変更する処理を行う特定色変更処理部（特定色変更手段）４１３と、を備えている。
【００５５】
また、設定変更操作部４２は、階調変更処理部４１１に階調範囲変更処理を行わせる操作を行うための階調変更操作部４２１と、面積変更処理部４１２に面積変更処理を行わせる操作を行うための面積変更操作部４２２と、特定色変更処理部４１３に特定色変更処理を行わせる操作を行うための特定色変更操作部４２３と、を備えている。
【００５６】
次に、偽輪郭軽減処理部３は、中間階調処理部７と切替部８とを備えて構成されている。
【００５７】
このうち中間階調処理部７は、偽輪郭軽減回路１に入力される画像信号に対して、例えば、擬似中間階調処理を行うことにより偽輪郭を軽減する（偽輪郭軽減処理）。より具体的には、中間階調処理部７は、擬似中間階調処理として誤差拡散処理を行うことにより、偽輪郭を軽減する。
【００５８】
切替部８は、偽輪郭軽減回路１に入力される画像信号（第１画像信号）、すなわち中間階調処理部７による処理を経ていない画像信号と、中間階調処理部７による処理後の画像信号（第２画像信号）と、を入力とし、これら２つの画像信号のうち何れか一方のみを出力とする。
【００５９】
すなわち、切替部８は、判定部２により偽輪郭が発生すると判定された画素の表示に用いられる画像信号としては第２画像信号を選択する一方で、それ以外の画素の表示に用いられる画像信号としては第１画像信号を選択し、それぞれ表示部（図６のプラズマディスプレイパネル５０を含むパネル部３２（後述）に相当）へ出力する。
【００６０】
換言すれば、切替部８は、判定部２により偽輪郭が発生すると判定された画素の表示に用いられる画像信号は、該画像信号に対して予め偽輪郭軽減処理を施しておいた画像信号に置き換えて出力する。
【００６１】
表示部の表示画面（プラズマディスプレイパネル５０の表示画面）では、偽輪郭軽減処理部３による偽輪郭軽減処理後の画像信号に基づく画像表示を行うこととなる。
【００６２】
よって、表示画面における偽輪郭の発生を軽減することができるとともに、該表示画面に表示される画質の劣化を最低限に軽減することができる。
【００６３】
次に、図５のフローチャートを参照して、図１の偽輪郭軽減回路１が行う動作を説明する。
【００６４】
先ず、ステップＳ１では、入力された画像信号に基づいて、所定の階調範囲内の画素の表示用の画像信号、赤、緑、青の各画像信号毎に抽出する処理を行う（階調検出処理）。
【００６５】
すなわち、ステップＳ１の処理は、判定部２の各階調検出部４ａ〜４ｎが行う処理である。
【００６６】
次に、ステップＳ２では、ステップＳ１にて抽出された画像信号のうち、所定の面積範囲以上の表示領域において連続的に存在する画素の表示用の画像信号のみを抽出する処理を行う（面積検出処理）。すなわち、ステップＳ２の処理は、判定部２の各面積検出部５ａ〜５ｎが行う処理である。
【００６７】
次に、ステップＳ３では、ステップＳ２にて抽出された画像信号のうち、偽輪郭が発生するような特定の色範囲の表示色を構成する階調の画素の表示用の画像信号のみを抽出する処理を行う（特定色検出処理）。すなわち、ステップＳ３の処理は、判定部２の特定色検出部６が行う処理である。
【００６８】
次に、ステップＳ４では、ステップＳ３にて抽出された画像信号に対し、偽輪郭を軽減する偽輪郭軽減処理を行う。なお、具体的には、予め全ての画像信号に対して偽輪郭軽減処理を施しておき、ステップＳ３にて抽出された画像信号については偽輪郭軽減処理が施された画像信号を出力する一方で、ステップＳ３にて抽出された画像信号以外の画像信号については偽輪郭軽減処理が施されないままの画像信号を出力することにより、結果的に、ステップＳ３にて抽出された画像信号に対してのみ偽輪郭を軽減する（中間階調処理）。すなわち、ステップＳ４の処理は、偽輪郭軽減処理部３が行う処理である。
【００６９】
次に、図６は、本実施例に係るプラズマ表示装置１０を示すブロック図である。
【００７０】
図６に示すように、本実施例に係るプラズマ表示装置１０は、モジュール構造を有するものとして設計されており、具体的には、アナログインターフェース２０とプラズマディスプレイパネルモジュール３０とから構成されている。
【００７１】
アナログインターフェース２０は、クロマ・デコーダを備えるＹ／Ｃ分離回路２１と、Ａ／Ｄ変換回路２２と、ＰＬＬ回路を備える同期信号制御回路２３と、画像フォーマット変換回路２４と、逆γ（ガンマ）変換回路２５と、システム・コントロール回路２６と、から構成されている。
【００７２】
概略的には、アナログインターフェース２０は、受信したアナログ映像信号をディジタル映像信号に変換した後、そのディジタル映像信号をプラズマディスプレイパネルモジュール３０に供給する。
【００７３】
例えば、テレビチューナーから発信されたアナログ映像信号はＹ／Ｃ分離回路２１において輝度信号と色差信号に分解された後、Ａ／Ｄ変換回路２２においてＲＧＢのディジタル信号に変換される。
【００７４】
その後、プラズマディスプレイパネルモジュール３０の画素構成と映像信号の画素構成が異なる場合には、画像フォーマット変換回路２４において必要な画像フォーマットの変換が行われる。
【００７５】
プラズマディスプレイパネルの入力信号に対する表示輝度の特性は線形的に比例するが、通常の映像信号はＣＲＴの特性に合わせて、予め補正（γ変換）されている。このため、Ａ／Ｄ変換回路２２において映像信号のＡ／Ｄ変換を行った後、逆γ変換回路２５において、映像信号に対して逆γ変換を施し、線形特性に復元されたディジタル映像信号を生成する。このディジタル映像信号はＲＧＢ映像信号としてプラズマディスプレイパネルモジュール３０に出力される。
【００７６】
アナログ映像信号には、Ａ／Ｄ変換用のサンプリングクロック及びデータクロック信号が含まれていないため、同期信号制御回路２３が、アナログ映像信号と同時に供給される水平同期信号を基準として、サンプリングクロック及びデータクロック信号を生成し、プラズマディスプレイパネルモジュール３０に出力する。
【００７７】
システム・コントロール回路２６は、各種制御信号をプラズマディスプレイパネルモジュール３０に対して出力する。
【００７８】
プラズマディスプレイパネルモジュール３０は、ディジタル信号処理・制御回路３１と、パネル部３２と、から構成されている。
【００７９】
ディジタル信号処理・制御回路３１は、入力インターフェース信号処理回路３４と、フレームメモリ３５と、メモリ制御回路３６と、ドライバ制御回路３７と、から構成されている。
【００８０】
入力インターフェース信号処理回路３４は、システム・コントロール回路２６から発信される各種制御信号、逆γ変換回路２５から発信されるＲＧＢ映像信号、同期信号制御回路２３から発信される同期信号、ＰＬＬ回路から発信されるデータクロック信号を受信する。
【００８１】
ディジタル信号処理・制御回路３１は、入力インターフェース信号処理回路３４において、これらの各種信号を処理した後、制御信号をパネル部３２に送信する。同時に、メモリ制御回路３６及びドライバ制御回路３７はメモリ制御信号及びドライバ制御信号をパネル部３２に送信する。
【００８２】
なお、上記の偽輪郭軽減回路１は、入力インターフェース信号処理回路３４に含まれている。
【００８３】
パネル部（表示部）３２は、プラズマディスプレイパネル５０と、走査電極を駆動する走査ドライバ３８と、データ電極を駆動するデータドライバ３９と、プラズマディスプレイパネル５０及び走査ドライバ３８にパルス電圧を供給する高圧パルス回路４０と、から構成されている。
【００８４】
プラズマディスプレイパネル５０は１３６５個×７６８個に配列された画素を有するものとして構成されている。プラズマディスプレイパネル５０においては、走査ドライバ３８が走査電極を制御し、データドライバ３９がデータ電極を制御することにより、これらの画素のうちの所定の画素の点灯または非点灯が制御され、所望の表示が行われる。
【００８５】
以上のような実施例１によれば、入力画像信号のうち、偽輪郭を発生する画像信号であり、且つ、特定の色範囲の画像信号である特定色偽輪郭発生画像信号に対し、偽輪郭を軽減する偽輪郭軽減処理を行う偽輪郭軽減処理部３を備えるので、サブフィールド駆動により画像表示を行うに際しての偽輪郭発生を軽減することができ、画質の劣化を最低限に軽減することができる。すなわち、観測者が画像を階調反転として検知したり、異なる色として検知したりしてしまうことを軽減することができる。
【００８６】
しかも、判定部２は、特定色検出部６を含んで構成されているので、偽輪郭を発生する画像信号のうち、特定の色範囲の画像信号である特定色偽輪郭発生画像信号に対してのみ偽輪郭軽減処理を行うことができる。よって、偽輪郭が目立ちにくい色の場合には偽輪郭軽減処理を行わないようにすることができるため、偽輪郭軽減処理に起因する画質の劣化を軽減することができる。
【００８７】
また、判定部２は、面積検出部５ａ〜５ｎを含んで構成されているので、偽輪郭が発生するような階調範囲の表示領域の面積が狭い場合には偽輪郭軽減処理を行わないようにすることができる。よって、偽輪郭源現処理に起因する画質の劣化を更に軽減することができる。
【実施例２】
【００８８】
図７は、実施例２に係る偽輪郭軽減回路１００を示すブロック図である。
【００８９】
実施例２に係る偽輪郭軽減回路１００は、以下に説明する点の他は上記の実施例１に係る偽輪郭軽減回路１と同様に構成されているため、同様の構成要素には同一の符号を付し、その説明を省略する。
【００９０】
実施例２では、偽輪郭軽減処理部３は、判定部２により偽輪郭が発生し、且つ、特定の色範囲であると判定された画素の表示に用いられる画像信号（特定色偽輪郭発生画像信号）よりも遅れて入力され、該画像信号と同一の表示箇所の表示に用いられる画像信号に対しても、偽輪郭軽減処理を行う。
【００９１】
そのような動作を実現するために、実施例２に係る偽輪郭軽減回路１００は、実施例１に係る偽輪郭軽減回路１の各構成に加えて、偽輪郭軽減処理部３への画像信号の入力を遅延させる遅延部９を更に備えている。
【００９２】
この遅延部９は、例えば、判定部２により偽輪郭が発生すると判定された画素の表示に用いられる画像信号の偽輪郭軽減処理部３への入力を１乃至ｍフィールド遅延させる第１乃至第ｍのフィールド遅延部９ａ、９ｂ、・・・、９ｍを備えて構成されている（ｍは正の整数）。ここで、フィールド遅延部９ａ〜９ｍは、所望のフィールド遅延量に応じた数だけ用意する。
【００９３】
更に、実施例２に係る偽輪郭軽減回路１００の偽輪郭軽減処理部３は、実施例１に係る偽輪郭軽減回路１の偽輪郭軽減処理部３の各構成に加えて、第１乃至第ｍのフィールド遅延部９ａ〜９ｍ及び判定部２からそれぞれ入力される画像信号の論理和を求め、該求めた論理和を切替部８に出力する合成部１１を備えている。
【００９４】
ここで、各フィールド遅延部９ａ〜９ｍは、それぞれ１フィールド期間だけ遅延させて画像信号を出力するように構成され、各フィールド遅延部９ａ〜９ｍは、相互に直列に接続されている。また、各フィールド遅延部９ａ〜９ｍからの出力は、それぞれ次段のフィールド遅延部９ｂ〜９ｍ及び合成部１１に入力されるようになっている。
【００９５】
加えて、実施例２に係る偽輪郭軽減回路１００の設定変更処理部４１は、実施例１に係る偽輪郭軽減回路１の設定変更処理部４１の各構成に加えて、フィールド遅延部９ａ〜９ｍのうち何れのフィールド遅延部から偽輪郭軽減処理部３への入力を有効とするかの設定を変更するフィールド遅延数変更処理を行うフィールド遅延数変更処理部４１４を備えている。
【００９６】
また、実施例２に係る偽輪郭軽減回路１００の設定変更操作部４２は、実施例１に係る偽輪郭軽減回路１の設定変更操作部４２の各構成に加えて、フィールド遅延数変更処理部４１４にフィールド遅延数変更処理を行わせる操作を行うためのフィールド遅延数変更操作部４２４を備えている。
【００９７】
次に、本実施例の場合の動作について、図８のフローチャートを参照して説明する。
【００９８】
本実施例の場合、図８に示すように、実施例１（図５）の場合と比べて、ステップＳ５のフィールド遅延処理と、ステップＳ６の合成処理とが追加されている。
【００９９】
次に、フィールド遅延処理について説明する。
【０１００】
フィールド遅延処理は、遅延部９により行われる処理である。
【０１０１】
遅延部９を構成する各フィールド遅延部９ａ〜９ｍのうち、初段のフィールド遅延部９ａは、判定部２から入力される画像信号を１フィールド期間遅延させて次段のフィールド遅延部９ｂ及び合成部１１に出力する。
【０１０２】
同様に、フィールド遅延部９ｂは、前段のフィールド遅延部９ａから入力される画像信号を１フィールド期間遅延させて次段のフィールド遅延部９ｃ（図示略）及び合成部１１に出力する。
【０１０３】
以下、同様に、フィールド遅延部９ｃ〜９ｍ−１（図示略）は、前段のフィールド遅延部９ｂ〜９ｍ−２（図示略）からそれぞれ入力される画像信号を１フィールド期間遅延させて次段のフィールド遅延部９ｄ（図示略）〜９ｍ及び合成部１１に出力する。
【０１０４】
これにより、遅延部９の第１乃至第ｍのフィールド遅延部９ａ〜９ｍは、判定部２により偽輪郭が発生すると判定された画素の表示に用いられる画像信号の偽輪郭軽減処理部３への入力を１乃至ｍフィールド遅延させる。
【０１０５】
次に、合成処理について説明する。
【０１０６】
合成処理は、偽輪郭軽減処理部３の合成部１１により行われる処理である。
【０１０７】
合成部１１は、判定部２及び第１乃至第ｍのフィールド遅延部９ａ〜９ｍからそれぞれ入力される画像信号の論理和を求め、該求めた論理和を切替部８に出力する。
【０１０８】
このため、切替部８は、判定部２から偽輪郭軽減処理部３に画像信号が入力される場合に、画像信号を偽輪郭軽減処理を行った画像信号に置き換えて表示部に出力するだけでなく、第１乃至第ｍのフィールド遅延手段のうち少なくとも何れか１つから画像信号が入力される場合にも、該画像信号を偽輪郭軽減処理を行った画像信号に置き換えて表示部に出力する。
【０１０９】
以上のような実施例２によれば、上記の実施例１と同様の効果が得られる他に、遅延部９及び合成部１１を備えているので、偽輪郭軽減処理部３は、判定部２により偽輪郭が発生すると判定された画素の表示に用いられる画像信号よりも１乃至ｍフィールド期間遅れて入力され、該画像信号と同一の表示箇所の表示に用いられる画像信号に対しても、偽輪郭軽減処理を行って表示部に出力することとなる。よって、偽輪郭が発生するタイミングと近いフィールド期間の画像に対しても、偽輪郭を軽減することができる。
【実施例３】
【０１１０】
図９は実施例３に係る偽輪郭軽減回路２００を示すブロック図である。
【０１１１】
図９に示すように、偽輪郭軽減回路２００は、該偽輪郭軽減回路２００に入力される画像信号（入力画像信号）に基づいて、画像に含まれる画素のうち偽輪郭が人間の目に目立ちやすい特定の色範囲の画素の画像信号（特定色画像信号）を検出する特定色画像信号検出部２０６と、特定色画像信号検出部２０６により検出された画像信号のうち偽輪郭が発生する画素の画像信号（特定色偽輪郭発生画像信号）を検出する特定色偽輪郭発生画像信号検出部２０２と、特定色偽輪郭発生画像信号検出画像部２０２により偽輪郭が発生すると判定された画素の表示に用いられる画像信号（特定色偽輪郭発生画像信号）に対し、偽輪郭を軽減する偽輪郭軽減処理を行う偽輪郭軽減処理部２０３と、を備えている。
【０１１２】
特定色画像信号検出部２０６は、上記の実施例１、２における特定色検出部６と同様の構成要素であり、偽輪郭が目立ちやすい特定の色範囲の表示色を構成する階調の画素のみを偽輪郭が発生する画素として特定色偽輪郭発生画像信号検出部２０２に出力する。各画素は赤色Ｒ、緑色Ｇ、青色Ｂの３原色から構成されるため、特定の色範囲をＲの範囲、Ｇの範囲、Ｂの範囲で予め設定しておき、この色範囲の入力画像信号を検出する。特定の色範囲としては前述のように肌色、白色など複数の色範囲が考えられる。
【０１１３】
図１１に横（Ｘ軸）１０ドット、縦（Ｙ軸）１０ラインの１００画素から構成される表示画面の例を示す。各画素はＲ、Ｇ、Ｂの３セル構成になっている。この１００画素の表示信号に対応する入力画像信号が入力され、その入力画像信号のうち偽輪郭が目立ちやすい特定の色範囲の表示色に相当する画像信号を検出する。その検出された画像信号に対応する表示領域を図１１に太線で囲んで示す。
【０１１４】
特定色偽輪郭発生画像信号検出画像部２０２は、上記の実施例１、２の判定部２と同様の構成要素であり、特定色画像信号検出部２０６により検出された特定の色範囲の表示色に相当する画像信号（特定色画像信号）のなかから、以下に説明する２つのステップにより偽輪郭が発生する画像信号（特定色偽輪郭発生画像信号）を検出する。
【０１１５】
先ず、第１のステップでは、所定の階調範囲内の画素を偽輪郭が発生する画素の候補（候補画素）であると判定する。すなわち、図１１の太線により特定される特定の色範囲の画素のＲ、Ｇ、Ｂの各色信号について所定の階調範囲内にあるかどうかを判定する。Ｒ、Ｇ、Ｂの何れかの色信号が所定の階調範囲のとき、その色信号を有する画素は偽輪郭が発生する画素の候補（候補画素）であると判定する。図１１の太線により特定される特定の色範囲の画素の例では、Ｒの色信号が所定の階調範囲内にある画素をＸ、Ｙ座標で示すと、（１，２）、（２，１）、（２，２）、（３，１）、（３，２）、（４，１）、（４，２）の各画素である。Ｇの色信号が所定の階調範囲内にある画素は（２，３）、（２、４）、（２，５）、（３，４）、（３，５）、（７，８）、（８，８）の各画素である。Ｂの色信号が所定の階調範囲内にある画素は（５，９）、（４，１０）、（５，１０）の各画素である。なお、図１１においては、所定の階調範囲内にある画素（セル）を網掛けで示している。太線により特定される特定の色範囲の画素であり、かつ所定の階調範囲内にある画素（セル）が上記のＸ，Ｙ座標で示した画素である。
【０１１６】
第２のステップでは、第１ステップで検出した候補画素が所定の数以上連続的に存在するか否かを判定し、連続的に存在する場合のみ、その候補画素を特定色偽輪郭発生画像であると判断する。すなわち、第１ステップで検出した候補画素が、所定面積以上の表示領域において連続的に存在する場合に、該表示領域内の画素と対応する画像信号を特定色偽輪郭発生画像信号であると判定する。
【０１１７】
具体的には、例えば、候補画素が水平走査方向ないしは垂直走査方向の合計で連続して３画素以上存在するかどうかを判定する。図１１の例では、候補画素（１，２）、（２，１）、（２，２）、（２，３）、（２，４）、（２，５）、（３，１）、（３，２）、（３，４）、（３，５）、（４，１）、（４，２）が３画素以上連続する。また、候補画素（５，９）、（４，１０）、（５，１０）も３画素以上連続する。しかし候補画素（７，８）、（８，８）は２画素連続するが３画素は連続しないため特定色偽輪郭発生画素とは判断しない。なお、ここでは候補画素（５，９）、（４，１０）、（５，１０）のように候補画素が水平走査方向ないしは垂直走査方向の合計で連続して３画素以上存在するかどうかにより判断したが、候補画素が水平走査方向又は垂直走査方向の何れかで連続して３画素以上存在するかどうかにより判断することもできる。その場合は候補画素（５，９）、（４，１０）、（５，１０）は候補画素が水平走査方向に連続して２画素、垂直走査方向に連続して２画素存在するが、何れも３画素は連続しないので、特定色偽輪郭発生画素とは判断しないことになる。
【０１１８】
以上のように特定色偽輪郭発生画像信号検出部２０２において特定色偽輪郭発生画素として判定された画素と対応する画像信号（特定色偽輪郭発生画像信号）は偽輪郭軽減処理部２０３に出力される。偽輪郭軽減処理部２０３は、実施例１と同様に中間調階調処理部２０７（中間階調処理部７と同様）と切替部２０８（切替部８と同様）とを備えて構成されている。偽輪郭軽減処理部２０３の動作は実施例１の偽輪郭軽減処理部３と同様なので説明を省略する。
【０１１９】
次に、図１０のフローチャートを参照して、図９の偽輪郭軽減回路２００が行う動作を説明する。
【０１２０】
先ず、ステップＳ１０１では、入力された画像信号について、特定色画像信号検出部２０６にて特定色検出処理を行う。
【０１２１】
次に、ステップ１０２では、ステップ１０１で検出された特定色画像信号のうち、偽輪郭発生画像信号検出部２０２にてＲ、Ｇ、Ｂの各色信号毎に所定の階調範囲内の画像信号（特定色偽輪郭発生画像信号）を抽出する処理を行う（階調検出処理）。
【０１２２】
次に、ステップＳ１０３では、ステップＳ１０２にて抽出された画像信号（特定色偽輪郭発生画像信号）のうち、所定数以上が連続的に存在する画素と対応する画像信号のみを抽出する処理を行う（画素数検出処理、図８の面積検出処理Ｓ２に相当）。
【０１２３】
次に、ステップＳ１０４では、ステップＳ１０３にて抽出された特定色偽輪郭発生画像信号に対し、偽輪郭を軽減する偽輪郭軽減処理としての中間階調処理を行う。なお、具体的には、予め全ての画像信号に対して偽輪郭軽減処理を施しておき、ステップＳ１０３にて抽出された画像信号については偽輪郭軽減処理が施された画像信号を出力する一方で、ステップＳ１０３にて抽出された画像信号以外の画像信号については偽輪郭軽減処理が施されないままの画像信号を出力することにより、結果的に、ステップＳ１０３にて抽出された画像信号に対してのみ偽輪郭を軽減する（中間調階調処理）。
【０１２４】
なお、図１０のフローチャートにおいて、特定色検出処理（ステップＳ１０１）と階調検出処理（ステップＳ１０２）の順序を入れ替ることもできる。また、入力された画像信号について特定色検出処理（ステップＳ１０１）と階調検出処理（ステップＳ１０２）を並行して実行し、ステップＳ１０１にて検出された画像信号（特定色画像信号）であり、且つ、ステップＳ１０２にて検出された画像信号（偽輪郭発生画像信号）である特定色偽輪郭発生画像信号を検出し、この特定色偽輪郭発生画像信号に対して、画素数検出処理Ｓ１０３を実行した後で、偽輪郭軽減処理を行うこともできる。なお、いずれの方法を用いても結果が同一になることは言うまでもない。実際に採用する特定色検出処理と階調検出処理の特性、ハードウエアにより処理するときはそのハードウエア規模、さらに処理速度、処理効率等を考慮して何れの方法を実施するかを決めることができる。
【０１２５】
図９には階調変更処理部、面積変更処理部、特定色変更処理部、階調変更操作部、面積変更操作部、特定色変更操作部は設けていないが、図１と同様にこれらを設けることができることは言うまでもない。
【０１２６】
また、実施例２と同様に、偽輪郭軽減処理部２０３は、特定色偽輪郭発生画像信号検出部２０２により偽輪郭が発生すると判定された画素の表示に用いられる画像信号よりも遅れて入力され、該画像信号と同一の表示箇所の表示に用いられる画像信号に対しても、偽輪郭軽減処理を行うこともできる。この場合は、図１０のフローチャートの中間階調処理（ステップＳ１０４）の後に、図８に示すフィールド遅延処理と、合成処理と、をこの順に追加すれば良い。
【０１２７】
以上のような実施例３によれば、上記の実施例１、実施例２と同様の効果が得られる。
【０１２８】
なお、上記の各実施例では、表示画面においてカラー表示画像を表示する場合についてのみ説明したが、表示画面において単色の画像を表示する場合にも適用可能である。この場合、判定部２は、階調検出部４ａ〜４ｉ及び面積検出部５ａ〜５ｉを各色毎に備える必要がない。
【０１２９】
また、上記の各実施例では、所定の階調範囲内の画素が所定画素数以上の表示領域において連続的に存在する場合にのみ偽輪郭軽減処理を行う例について説明したが、個々の画素が所定の階調範囲内である場合にも偽輪郭軽減処理を行うようにしても良い。この場合の判定部２は面積検出部５ａ〜５ｉを備える必要がない。
【０１３０】
また、上記の各実施例では偽輪郭軽減処理として擬似中間階調処理を行っているが、偽輪郭軽減処理はこれに限定されるものではない。例えば、特開２００３−１５７０４５に記載されているように偽輪郭発生画像信号の画素列の画素値を所定の規則に従って入れ換えることによりに偽輪郭を軽減することもできる。
【図面の簡単な説明】
【０１３１】
【図１】実施例１に係る偽輪郭軽減回路を示すブロック図である。
【図２】画素の階調レベルと各サブフィールドの点灯状態との関係の一例を示す図である。
【図３】偽輪郭が発生すると判定する階調範囲の上限値と下限値の設定の一例を示す図である。
【図４】偽輪郭が発生すると判定する表示領域の大きさの一例を示す図である。
【図５】図１の偽輪郭軽減回路が行う処理の流れを示すフローチャートである。
【図６】図１の偽輪郭軽減回路を備える表示装置の一例を示すブロック図である。
【図７】実施例２に係る偽輪郭軽減回路を示すブロック図である。
【図８】図７の偽輪郭軽減回路が行う処理の流れを示すフローチャートである。
【図９】実施例３に係る表示装置を示すブロック図である。
【図１０】図９の偽輪郭軽減回路が行う処理の流れを示すフローチャートである。
【図１１】表示画面における表示の例を示す図である。
【図１２】偽輪郭を説明するための概念図である。
【符号の説明】
【０１３２】
１      偽輪郭軽減回路（偽輪郭軽減装置）
３      偽輪郭軽減処理部
４ａ〜４ｎ  階調検出部（偽輪郭発生画像信号検出部）
６      特定色検出部（特定色偽輪郭発生画像信号検出部）
７      中間階調処理部（処理部）
８      切替部
１０    プラズマ表示装置（表示装置）
３２    パネル部（表示部）
１００  偽輪郭軽減回路（偽輪郭軽減装置）
９ａ〜９ｍ  フィールド遅延部
２００  偽輪郭軽減回路（偽輪郭軽減装置）
２０６  特定色画像信号検出部
２０２  特定色偽輪郭発生画像信号検出部
２０３  偽輪郭軽減処理部
２０７  中間階調処理部（処理部）
２０８  切替部
【図１】
2006003881.tif 000003
【図２】
2006003881.tif 000004
【図３】
2006003881.tif 000005
【図４】
2006003881.tif 000006
【図５】
2006003881.tif 000007
【図６】
2006003881.tif 000008
【図７】
2006003881.tif 000009
【図８】
2006003881.tif 000010
【図９】
2006003881.tif 000011
【図１０】
2006003881.tif 000012
【図１１】
2006003881.tif 000013
【図１２】
2006003881.tif 000014